(57)【要約】【課題】  被縫製物や縫製条件に応じてオーバーロックミシンの上送り量を容易に変更調節することができて作業性の向上を図れるミシンの上送り量調節機構を提供する。【解決手段】  ミシンフレーム１８の外部に上送り歯１６の前後量を調節するための前後量調節レバー４０と上送り歯１６の上下量を調節するための上下量調節レバー５０が設けられている。また、ミシンフレーム１８の外部には前後量の大きさに対応する目盛が付記されている前後量調節目盛板４１と上下量の大きさに対応する目盛が付記されている上下量調節目盛板５１が設けられている。前記前後量調節レバー４０の先端は前後方向に動くように配置され、前記上下量調節レバー５０の先端は上下方向に動くように配置されている。【選択図】図３
2014151077.tif 000002
【特許請求の範囲】
【請求項１】
先端に上送り歯が取り付けられている上送り台と、
前記上送り台に連結され、主軸に連動して上送り台を前後動させる前後動機構と、
前記上送り台に連結され、主軸に連動して上送り台を上下動させる上下動機構と、
ミシンフレームの内部で前記前後動機構に連結され、主軸の１回転あたりに上送り歯が前後方向に動く量（以下、前後量とする）を変更調節する前後量調節機構と、
ミシンフレームの内部で前記上下動機構に連結され、主軸の１回転あたりに上送り歯が上下方向に動く量（以下、上下量とする）を変更調節する上下量調節機構を備えたオーバーロックミシンの上送り量調節機構において、
前記前後量調節機構は、
ミシンフレームの外部に設けられ前後量を調節するための操作部材を備え、
前記上下量調節機構は、
ミシンフレームの外部に設けられ上下量を調節するための操作部材を備えていることを特徴とするオーバーロックミシンの上送り量調節機構。
【請求項２】
前記前後量調節機構は、
前後量の大きさに対応する目盛が付記されている前後量調節目盛板を備え、
前記上下量調節機構は、
上下量の大きさに対応する目盛が付記されている上下量調節目盛板を備え、
前記前後量調節目盛板と前記上下量調節目盛板とがミシンフレームの外部に設けられている、請求項１記載のオーバーロックミシンの上送り量調節機構。
【請求項３】
前記前後量調節機構は、一端がミシンフレームから突出し軸回りの回動により上送り歯の前後量を変更調節する前後量調節軸を備え、
前後量を調節するための前記操作部材としての前後量調節レバーは、
基端が前記前後量調節軸の前記一端に固定され、先端が前記前後量調節目盛板の目盛に向かって基端から上方に延設されており、
前記上下量調節機構は、一端がミシンフレームから突出し軸回りの回動により上送り歯の上下量を変更調節する上下量調節軸を備え、
上下量を調節するための前記操作部材としての上下量調節レバーは、
基端が前記上下量調節軸の前記一端に固定され、先端が前記上下量調節目盛板の目盛に向かって基端から前方に延設されており、
前記前後量調節レバーの先端が前後方向に動くように配置され、
また、前記上下量調節レバーの先端が上下方向に動くように配置される、請求項２記載のオーバーロックミシンの上送り量調節機構。
【請求項４】
前記前後量調節軸と前記上下量調節軸は互いに平行に配置され、
前記前後量調節軸と前記上下量調節軸には、
前記上送り歯の前後量が小さく、かつ、上下量が小さくなるよう、
前記前後量調節軸と前記上下量調節軸が回動する方向に張力が働くようにして、前記前後量調節軸と前記上下量調節軸との間に単一のバネが架設されている、請求項３記載のオーバーロックミシンの上送り量調節機構。
【発明の詳細な説明】
【技術分野】
【０００１】
本発明は、オーバーロックミシンの上送り機構に関するもので、詳しくは前後動並びに上下動よりなる楕円運動を行う上送り歯の上送り量を調節する上送り量調節機構に関する。
本発明において、上送り量とは、主軸の１回転あたりに上送り歯が前後方向に動く量（以下、前後量とする）や主軸の１回転あたりに上送り歯が上下方向に動く量（以下、上下量とする）のことをいう。また、本発明において、前後とは生地送り方向における前後方向をいい、左右とはミシンを正面から見たときの左右方向をいう。また、上下とはミシンの上下方向をいう。
【背景技術】
【０００２】
従来、オーバーロックミシンの上送り量調節機構が、上送り歯を前後動並びに上下動させるための上送り機構に連結されたものがある（特許文献１参照）。この従来技術によれば、上送り歯を前後動させるための前後動機構に、上送り歯の前後量（水平送り量）を調節する前後量調節機構が連結されている。前後量調節機構はミシンフレーム（ミシン機枠）の外部に調節レバーを設け、この調節レバーの操作により、上送り歯の前後量が調節される。
【０００３】
また、この従来技術によれば、上送り歯を上下動させるための上下動機構に、上送り歯の上下量（上昇量）を調節する上下量調節機構が連結されている。従来、上下量調節機構は、作業者が上下量を調節する機会が少ないことや上下量の意図せぬ変更により上送り歯が他部品と接触したり生地を送らなくなる可能性があること等が考慮され、ミシンフレームの内部に設けられていた。
【先行技術文献】
【特許文献】
【０００４】
【特許文献１】実開昭５８―１６９８６２号公報（第７〜１８頁、第１〜４図）
【発明の概要】
【発明が解決しようとする課題】
【０００５】
ところで、近年では被縫製物の対象が多様化するのに伴い、上送り歯の上下量の変更調節が必要とされる機会が増えつつある。しかしながら、特許文献１に記載のオーバーロックミシンの上送り量調節機構において、作業者が上下量を変更調節するにはミシンフレームに取着されるカバー等を取り外し、ミシンフレームの内部で作業しなければならない。したがって、従来技術における上下量調節機構は、調節レバーの回動操作により上送り歯の前後量を容易に変更調節できる前後量調節機構と比較して、上下量を変更調節するには非常に手間がかかり作業性が悪かった。
【０００６】
そこで本発明は、上記のような問題を解決するためになされたもので、被縫製物や縫製条件に応じてオーバーロックミシンの上送り量を容易に変更調節することができて作業性の向上を図れるミシンの上送り量調節機構を提供することを目的とする。
【課題を解決するための手段】
【０００７】
本発明のオーバーロックミシンの上送り量調節機構は、請求項１に記載のように、その発明の内容を理解しやすくするために図１〜図３に付した符号を参照して説明すると、
先端に上送り歯１６が取り付けられている上送り台１５と、
前記上送り台１５に連結され、主軸１７に連動して上送り台１５を前後動させる前後動機構２ａと、
前記上送り台１５に連結され、主軸１７に連動して上送り台１５を上下動させる上下動機構２ｂと、
ミシンフレーム１８の内部で前記前後動機構２ａに連結され、主軸１７の１回転あたりに上送り歯１６が前後方向に動く量（以下、前後量とする）を変更調節する前後量調節機構３ａと、
ミシンフレーム１８の内部で前記上下動機構２ｂに連結され、主軸１７の１回転あたりに上送り歯１６が上下方向に動く量（以下、上下量とする）を変更調節する上下量調節機構３ｂを備えたオーバーロックミシン１の上送り量調節機構３において、
前記前後量調節機構３ａは、
ミシンフレーム１８の外部に設けられ前後量を調節するための操作部材を備え、
前記上下量調節機構３ｂは、
ミシンフレーム１８の外部に設けられ上下量を調節するための操作部材を備えていることに特徴を有するものである。
これによると、ミシンフレーム１８の外部に設けられる操作部材により、上送り量を容易に変更調節することができる。
【０００８】
請求項１記載のオーバーロックミシンの上送り量調節機構は、請求項２に記載のように、
前記前後量調節機構３ａは、
前後量の大きさに対応する目盛４１ｂが付記されている前後量調節目盛板４１を備え、
前記上下量調節機構３ｂは、
上下量の大きさに対応する目盛５１ｂが付記されている上下量調節目盛板５１を備え、
前記前後量調節目盛板４１と前記上下量調節目盛板５１とがミシンフレーム１８の外部に設けられているという構成を採用することができる。
これによると、上送り量調節目盛板４１，５１に付記された目盛４１ｂ，５１ｂを確認しながら上送り量を容易に変更調節することができる。
【０００９】
請求項２記載のオーバーロックミシンの上送り量調節機構は、請求項３に記載のように、
前記前後量調節機構３ａは、一端がミシンフレーム１８から突出し軸回りの回動により上送り歯１６の前後量を変更調節する前後量調節軸３８を備え、
前後量を調節するための前記操作部材としての前後量調節レバー４０は、
基端が前記前後量調節軸３８の前記一端に固定され、先端が前記前後量調節目盛板４１の目盛４１ｂに向かって基端から上方に延設されており、
前記上下量調節機構３ｂは、一端がミシンフレーム１８から突出し軸回りの回動により上送り歯１６の上下量を変更調節する上下量調節軸４８を備え、
上下量を調節するための前記操作部材としての上下量調節レバー５０は、
基端が前記上下量調節軸４８の前記一端に固定され、先端が前記上下量調節目盛板５１の目盛５１ｂに向かって基端から前方に延設されており、
前記前後量調節レバー４０の先端が前後方向に動くように配置され、
また、前記上下量調節レバー５０の先端が上下方向に動くように配置されるという構成を採用することができる。
これによると、上送り歯１６の前後量調節については前後量調節レバー４０を前後方向（矢印Ｘ方向）に動かし、上送り歯１６の上下量調節については上下量調節レバー５０を上下方向（矢印Ｙ方向）に動かすことができる。つまり、作業者が上送り歯１６の上下量を変更調節したいのであれば、上下方向（矢印Ｘ方向）に動かすことができる調節レバー（上下量調節レバー５０）を回動操作すれば良いという風に、調節される上送りの方向とそれを変更調節するレバーの回動方向が対応して調節レバー（および目盛板）が配置される。したがって、調節レバーがミシンフレーム１８の外部に２つ設けられていても、作業者はどちらの調節レバーを回動操作すれば良いのか迷うことがなく、所望する上送り量（前後量または上下量）を変更調節することができる。
【００１０】
請求項３記載のオーバーロックミシンの上送り量調節機構は、請求項４に記載のように、
前記前後量調節軸３８と前記上下量調節軸４８は互いに平行に配置され、
前記前後量調節軸３８と前記上下量調節軸４８には、
前記上送り歯１６の前後量が小さく、かつ、上下量が小さくなるよう、
前記前後量調節軸３８と前記上下量調節軸４８が回動する方向に張力が働くようにして、前記前後量調節軸３８と前記上下量調節軸４８との間に単一のバネ５６が架設されているという構成を採用することができる。
上送り歯の上送り量が必要以上に大きくなると、被縫製物に送り傷が付いたり、場合によっては他の部品（例えば、針板や押え）に接触破損するという問題が生じる可能性がある。請求項４記載の構成によれば、前後・上下調節レバー（４０，５０）の位置固定が緩んでも、前後・上下動が小さくなる方向にバネ５６が働くので、上記問題が回避できる。そして、上記作用が単一のバネ５６でされるため、部品点数が削減できる。
【発明の効果】
【００１１】
本発明のオーバーロックミシンの上送り量調節機構によれば、被縫製物や縫製条件に応じてオーバーロックミシンの上送り量を容易に変更調節することができるので作業性を向上させることができる。また、作業者がどちらの調節レバーが前後量調節用あるいは上下量調節用なのかを認識し易い。
【図面の簡単な説明】
【００１２】
【図１】オーバーロックミシンの上送り機構および上送り量調節機構を示す平面図である。
【図２】図１におけるＡ−Ａ線断面図である。
【図３】前記ミシンの上送り量調節機構の要部を示す右側面図である。
【発明を実施するための形態】
【００１３】
以下、本発明に係るオーバーロックミシンの好適な実施形態について図面を参照して説明する。
【００１４】
本発明のオーバーロックミシン１は生地送り方向Ｆに生地を搬送するための上送り機構２を有する。図１において、上送り機構２は、上送り歯１６を先端に取着した上送り台１５を前後動させる前後動機構２ａと上送り台１５を上下動させる上下動機構２ｂとで構成されている。また、本発明のオーバーロックミシン１には、上送り量を変更調節する上送り量調節機構３がミシンフレームの内部で上送り機構２に連結されている。上送り量調節機構３は、前後動機構２ａに連結され上送り歯１６の前後量を変更調節する前後量調節機構３ａと上下動機構２ｂに連結され上送り歯１６の上下量を変更調節する上下量調節機構３ｂとで構成されている。
【００１５】
まず、前後動機構２ａについて説明する。図２に示すように、ミシンフレーム１８の内部には、軸心回りに回転する主軸１７が配置され、主軸１７に設けられる偏心部にロッド４の一端が嵌合されている。ロッド４の他端にはクランク５の連結部が連結され、クランク５の基部は揺動軸６に固定されている。揺動軸６はミシンフレーム１８に回転自在に軸支されている。主軸１７の回転によって、ロッド４、クランク５および揺動軸６は揺動するようになっている。調節クランク７はその基部が揺動軸６に固定されており、また、該基部より後方に延びる円弧状の腕部７ａを有している。腕部７ａは右側が開口したコの字形の調節溝７ｂを有している。調節溝７ｂは前方の端部を基端とし、後方の端部を先端とする。
【００１６】
調節溝７ｂには大角駒８が挿嵌されており、大角駒８と連結リンク１０の一端とがピン９を介して連結されている。大角駒８は調節溝７ｂ内をスライド可能とされている。連結リンク１０の他端にはクランク１１の連結部が連結され、クランク１１の基部は前後軸１２の一端に固定されている。揺動軸６の揺動によって調節クランク７が揺動軸６の軸回りに揺動すると、調節クランク７の揺動は大角駒８、連結リンク１０を介して前後軸１２に伝えられ、前後軸１２は軸回りに揺動する。また、前後軸１２の他端には前後送り用クランク１３の一端が固着され、前後送り用クランク１３の他端には上送り台１５の基端が連結されている。そして、前後軸１２が軸回りに揺動すると、前記前後送り用クランク１３の他端が前後に揺動し、上送り台１５の先端に取着された上送り歯１６が前後に揺動する。
【００１７】
次に、上下動機構２ｂについて説明する。図１および図２に示すように、ミシンフレーム１８に軸回りの回転自在に軸支されている上メス軸２３はロッド２１およびクランク２２を介して主軸１７と連結され、主軸１７の一方向の回転に伴い軸回りに揺動するようになっている。上メス軸２３の一端には、図示していないが、上メスを取り付けた上メス台が固定されている。図２に示すように、調節クランク２４はその基部が上メス軸２３に固定されており、また該基部より上方に延びる円弧状の腕部２４ａを有している。腕部２４ａは右側が開口したコの字形の調節溝２４ｂを有している。調節溝２４ｂは上方の端部を先端とし、下方の端部を基端とする。
【００１８】
調節溝２４ｂには大角駒２５が挿嵌されており、大角駒２５と連結リンク２７の一端とがピン２６を介して連結されている。大角駒２５は調節溝２４ｂ内をスライド可能とされている。連結リンク２７の他端にはクランク２８の連結部が連結され、クランク２８の基部は上下軸２９の一端に固定されている。上メス軸２３の揺動によって調節クランク２４が上メス軸２３の軸回りに揺動すると、クランク２８の揺動は大角駒２５、連結リンク２７を介して上下軸２９に伝えられ、上下軸２９は軸回りに揺動する。また、上下軸２９の他端には上下送り用クランク３０の一端が固着され、上下送り用クランク３０の他端には上送り台１５をスライド可能に嵌合するガイド溝を備えたガイド３１が連結されている。そして、上下軸２９が軸回りに揺動すると、前記上下送り用クランク３０の他端が上下に揺動し、上送り台１５の先端に取着された上送り歯１６が上下に揺動する。前後動機構２ａによる上送り台１５の前後動と上下動機構２ｂによる上送り台１５の上下動との合成により、上送り台１５および上送り歯１６は生地送り方向Ｆに沿った垂直面内を楕円運動する。
【００１９】
次に、上送り歯１６の前後量を変更調節するための前後量調節機構３ａについて説明する。図１〜図３に示すように、前後量調節機構３ａは、フォークレバー３７、前後量調節軸３８、前後量調節レバー４０等を備えている。フォークレバー３７の一端に二又の分岐部３７ａが形成され、分岐部３７ａには小角駒３６がスライド可能に挿嵌されている。小角駒３６はピン９を介して大角駒８および連結リンク１０と連結されている。フォークレバー３７の基端は前後量調節軸３８の一端に固定されている。前後量調節軸３８は左右方向に水平に延びて配置されると共に、軸回りの回転自在にミシンフレーム１８に軸支されている。前後量調節軸３８の他端はオーバーロックミシン１のミシンフレーム１８の右側面から突出し、その突出した他端には前後量調節レバー４０の基端が固定されている。
【００２０】
図３に示すように、前後量調節機構３ａは、オーバーロックミシン１のミシンフレーム１８の右側面に取り付けられる前後量調節目盛板４１を備えている。前後量調節目盛板４１はその上端縁に上送り歯１６の前後量の大きさに対応する目盛４１ｂが付記されている。前後量調節レバー４０は、その先端が前後量調節目盛板４１の目盛４１ｂに向かって基端から上方に延びるよう配置されている。前後量調節目盛板４１の円弧溝４１ａを通して前後量調節レバー４０に連結されるナット４２と前後量調節レバー４０自体とで前後量調節目盛板４１を左右から挟み付けることにより、前後量調節レバー４０を前後量調節目盛板４１に固定できるようになっている。
【００２１】
ここで、上送り歯１６の前後量の変更調節について説明する。ナット４２を緩め、前後量調節レバー４０を前後量調節目盛板４１に沿って前後方向（矢印Ｘ方向）に回動操作させると、前後量調節軸３８が軸回りに回動し、フォークレバー３７、小角駒３６およびピン９を介して大角駒８の調節クランク７の調節溝７ｂ内における位置が変更される。そして、揺動軸６と大角駒８との距離が変更されることにより、大角駒８と連結リンク１０を介して連結されるクランク１１の揺動量が変更される。前後量調節レバー４０を前方向に回動操作させるにつれて、大角駒８が調節溝７ｂの先端側へスライドし、クランク１１の揺動量が大きくなる。つまり、前後軸１２の揺動量が大きくなり、上送り歯１６の前後量が大きくなる。また、前後量調節レバー４０を後方向に回動操作させるにつれて、大角駒８が調節溝７ｂの基端側へスライドし、クランク１１の揺動量が小さくなる。つまり、前後軸１２の揺動量が小さくなり、上送り歯１６の前後量が小さくなる。すなわち、前後量調節レバー４０を前後量調節目盛板４１に沿って、前方向に回動操作すれば上送り歯１６の前後量が大きくなり、後方向に回動操作すれば上送り歯１６の前後量が小さくなる。
【００２２】
次に、上送り歯１６の上下量を変更調節するための上下量調節機構３ｂについて説明する。図１〜図３に示すように、上下量調節機構３ｂは、フォークレバー４７、上下量調節軸４８、上下量調節レバー５０等を備えている。フォークレバー４７の一端に二又の分岐部４７ａが形成され、分岐部４７ａには小角駒４６がスライド可能に挿嵌されている。小角駒４６はピン２６を介して大角駒２５および連結リンク２７と連結されている。フォークレバー４７の基端は上下量調節軸４８の一端に固定されている。上下量調節軸４８は左右方向に水平に延びて配置されると共に、軸回りの回転自在にミシンフレーム１８に軸支されている。上下量調節軸４８の他端はオーバーロックミシン１のミシンフレーム１８の右側面から突出し、その突出した他端には上下量調節レバー５０の基端が固定されている。
【００２３】
図３に示すように、上下量調節機構３ｂは、オーバーロックミシン１のミシンフレーム１８の右側面に取り付けられる上下量調節目盛板５１を備えている。上下量調節目盛板５１はその前端縁に上送り歯１６の上下量の大きさに対応する目盛５１ｂが付記されている。上下量調節レバー５０は、その先端が上下量調節目盛板５１の目盛５１ｂに向かって基端から前方に延びるよう配置されている。上下量調節目盛板５１の円弧溝５１ａを通して上下量調節レバー５０に連結されるナット５２と上下量調節レバー５０自体とで上下量調節目盛板５１を左右から挟み付けることにより、上下量調節レバー５０を上下量調節目盛板５１に固定できるようになっている。
【００２４】
ここで、上送り歯１６の上下量の変更調節について説明する。ナット５２を緩め、上下量調節レバー５０を上下量調節目盛板５１に沿って上下方向（矢印Ｙ方向）に回動操作させると、上下量調節軸４８が軸回りに回動し、フォークレバー４７、小角駒４６およびピン２６を介して大角駒２５の調節クランク２４の調節溝２４ｂ内における位置が変更される。そして、上メス軸２３と大角駒２５との距離が変更されることにより、大角駒２５と連結リンク２７を介して連結されるクランク２８の揺動量が変更される。上下量調節レバー５０を上方向に回動操作させるにつれて、大角駒２５が調節溝２４ｂの先端側へスライドし、クランク２８の揺動量が大きくなる。つまり、上下軸２９の揺動量が大きくなり、上送り歯１６の上下量が大きくなる。また、上下量調節レバー５０を下方向に回動操作させるにつれて、大角駒２５が調節溝２４ｂの基端側へスライドし、クランク２８の揺動量が小さくなる。つまり、上下軸２９の揺動量が小さくなり、上送り歯１６の上下量が小さくなる。すなわち、上下量調節レバー５０を上下量調節目盛板５１に沿って、上方向に回動操作すれば上送り歯１６の上下量が大きくなり、下方向に回動操作すれば上送り歯１６の上下量が小さくなる。
【００２５】
図１に示すように、前後量調節軸３８と上下量調節軸４８は互いに平行に配置されている。前後量調節軸３８の中途にはカラー４４が挿通されネジ４５で固定されており、また上下量調節軸４８の中途にはカラー５４が挿通されネジ５５で固定されている。バネ５６は、一端がネジ４５に架けられて前後量調節軸３８に巻着され、他端がネジ５５に架けられて上下量調節軸４８に巻着されている。バネ５６は、前後量調節軸３８に対しては、前後量調節軸３８に取り付けられた前後量調節レバー４０が後方に回動するよう張力が働き、上下量調節軸４８に対しては、上下量調節軸４８に取り付けられた上下量調節レバー５０が下方に回動するよう張力が働く。つまり、バネ５６は上送り歯１６の前後量が小さく、かつ、上下量が小さくなるよう、前後量調節軸３８と上下量調節軸４８が回動する方向に張力が働くようにして、前後量調節軸３８と上下量調節軸４８との間に架設されている。
【００２６】
図３に示すように、上下量調節目盛板５１には調節棒５９が取り付けられている。調節棒５９は、上下に延びる軸部５９ａと軸部５９ａの上端に形成されるつまみ部５９ｂで構成されている。調節棒５９は、つまみ部５９ｂを回動操作させると軸部５９ａの軸回りに回動される。軸部５９ａにはその下端から上端に向かう中途までにネジ山５９ｃが形成されており。該ネジ山５９ｃにはストッパー５８が螺合されている。上下量調節目盛板５１には長穴（図示しない）が調節棒５９の軸部５９ａに隣接するよう上下に長く形成され、ストッパー５８の端部が該長穴に挿通されている。ストッパー５８は調節棒５９の回動に伴い、軸部５９ａのネジ山５９ｃの範囲で、該長穴に沿って軸部５９ａを上下に移動する。ストッパー５８は上下量調節レバー５０より下方に配置されている。ここで、調節棒５９による上送り歯１６の上下量の変更調節について説明する。上下量調節レバー５０のナット５２が緩められると、上下量調節レバー５０はバネ５６の張力によって下方に回動しストッパー５８の端部に接触することでその回動は止められる。この状態で、つまみ部５９ｂが回動操作されるとストッパー５８が上方向（または下方向）に移動し、これに伴い、上下量調節レバー５０も上方向（または下方向）に回動されることになる。つまり、調節棒５９の回動により、上送り歯１６の上下量が変更調節されることになる。この構成によると、つまみ部５９ｂの回動操作により、上下量調節レバー５０は軸部５９ａのネジ山５９ｃのリードに応じて上下動するので、上下量調節レバー５０を直接操作するのと比べ、上送り歯１６の上下量を微調整するのが容易である。
【００２７】
本発明は以上説明した実施例に限定されるものではなく、当業者であれば、本発明の趣旨を逸脱しない範囲で、前記実施例に種々の変更を付加して実施することができ、本発明はそれらの変更形態をも包含するものである。
【符号の説明】
【００２８】
１                オーバーロックミシン
２                上送り機構
２ａ              前後動機構
２ｂ              上下動機構
３                上送り量調節機構
３ａ              前後量調節機構
３ｂ              上下量調節機構
６                揺動軸
７                調節クランク
１２              前後軸
１５              上送り台
２４              調節クランク
２９              上下軸
３８              前後量調節軸
４０              前後量調節レバー
４８              上下量調節軸
５０              上下量調節レバー
５６              バネ
【図１】
2014151077.tif 000003
【図２】
2014151077.tif 000004
【図３】
2014151077.tif 000005